(57)【要約】【課題】目詰まりし難く、メンテナンスし易い使用性の高い電気掃除機を提供する。【解決手段】本発明は、ダストボックスユニット４が、外殻を形成するダストボックス本体（ダストボックス）４０と、ダストボックス４０に内蔵され吸引された塵埃を蓄積する集塵室４３と、集塵室４３の下流側で電動送風機と対向する前記ダストボックス４０端面に着脱自在に装着されるフィルタユニット（フィルタ部）４１とを有し、集塵室４３は複数の壁面により箱状に構成され、前記複数の壁面の内、少なくとも２面以上の壁面を通気性のある材料で構成し、集塵室４３とダストボックス本体４０との間の空間を吸気経路とした。これにより吸塵した塵埃が集塵室４３の通気性のある壁面の一部に付着しても、他の壁面部分から吸気可能で、目詰まりによる風量低下を起こし難く、吸込力の持続が図れて、集塵室のメンテナンスも軽減する電気掃除機を実現できるものである。【選択図】図６
2006255159.tif 000002
【特許請求の範囲】
【請求項１】
吸引風を発する電動送風機を内蔵しダストボックス収納部を有する掃除機本体と、前記ダストボックス収納部に着脱自在に装着されるとともに塵埃を捕集するダストボックスユニットとを備え、前記ダストボックスユニットは、外殻を形成するダストボックスと、前記ダストボックスに内蔵され吸引された塵埃を蓄積する集塵室と、前記集塵室の下流側で電動送風機と対向する前記ダストボックス端面に着脱自在に装着されるフィルタ部とを有し、前記集塵室は複数の壁面により箱状に構成され、前記複数の壁面の内、少なくとも２面以上の壁面を通気性のある材料で構成し、前記集塵室とダストボックスとの間の空間を吸気経路としたことを特徴とする電気掃除機。
【請求項２】
集塵室を構成する全ての壁面を通気性のある材料で構成した請求項１記載の電気掃除機。
【請求項３】
集塵室を構成する壁面を樹脂枠とメッシュにより構成した請求項１記載の電気掃除機。
【請求項４】
フィルタ部を複層構造とし、吸気上流側にポリテトラフルオロエチレンからなる多孔質膜を配して構成したことを特徴とする請求項１に記載の電気掃除機。
【請求項５】
フィルタ部をプリーツ形状にした請求項１に記載の電気掃除機。
【発明の詳細な説明】
【技術分野】
【０００１】
本発明は、ダストボックスを有する電気掃除機に関するものである。
【背景技術】
【０００２】
従来のこの種の電気掃除機として、吸塵された塵埃はダストボックスに内蔵された集塵室の１部に設けられたメッシュ状のフィルタによって捕集されるものがある（例えば、特許文献１参照）。
【特許文献１】特開２００４−１４７９６４号公報
【発明の開示】
【発明が解決しようとする課題】
【０００３】
しかしながら、上述のダストボックスではメッシュ状フィルタが１部にしかなく、吸塵した場合に塵埃が付着して、早い段階で吸込性能が低下するという問題があった。
【０００４】
この課題を解決するために、従来は遠心分離方式を採用されていたが、遠心分離を行うことでの損失が大きく、結果として吸引力が低下することがあった。
【０００５】
本発明は上記従来の課題を解消して、強力な吸い込み力を持続させ、さらに塵埃捕集手段である集塵室のメンテナンスを軽減できる、集塵袋を必要としない電気掃除機を提供することを目的とする。
【課題を解決するための手段】
【０００６】
上記従来の課題を解決するために本発明は、吸引風を発する電動送風機を内蔵しダストボックス収納部を有する掃除機本体と、前記ダストボックス収納部に着脱自在に装着されるとともに塵埃を捕集するダストボックスユニットとを備え、前記ダストボックスユニットは、外殻を形成するダストボックスと、前記ダストボックスに内蔵され吸引された塵埃を蓄積する集塵室と、前記集塵室の下流側で電動送風機と対向する前記ダストボックス端面に着脱自在に装着されるフィルタ部とを有し、前記集塵室は複数の壁面により箱状に構成され、前記複数の壁面の内、少なくとも２面以上の壁面を通気性のある材料で構成し、前記集塵室とダストボックスとの間の空間を吸気経路としたことを特徴とする電気掃除機とした。
【０００７】
これにより、吸塵した塵埃が集塵室の通気性のある材料で構成された少なくとも２面以上の壁面の内の一部に付着しても、他の壁面部分から吸気可能で、目詰まりによる風量低下を起こし難く、吸込力の持続が図れて、集塵室のメンテナンスも軽減する電気掃除機を実現できるものである。
【発明の効果】
【０００８】
本発明によれば、ダストボックスを有する電気掃除機において、強力な吸い込み力を持続させ、集塵室のメンテナンスを軽減できる電気掃除機を提供できる。
【発明を実施するための最良の形態】
【０００９】
第１の発明は、吸引風を発する電動送風機を内蔵しダストボックス収納部を有する掃除機本体と、前記ダストボックス収納部に着脱自在に装着されるとともに塵埃を捕集するダストボックスユニットとを備え、前記ダストボックスユニットは、外殻を形成するダストボックスと、前記ダストボックスに内蔵され吸引された塵埃を蓄積する集塵室と、前記集塵室の下流側で電動送風機と対向する前記ダストボックス端面に着脱自在に装着されるフィルタ部とを有し、前記集塵室は複数の壁面により箱状に構成され、前記複数の壁面の内、少なくとも２面以上の壁面を通気性のある材料で構成し、前記集塵室とダストボックスとの間の空間を吸気経路としたことを特徴とする電気掃除機とした。これにより、吸塵した塵埃が集塵室の通気性のある材料で構成された少なくとも２面以上の壁面の内の一部に付着しても、他の壁面部分から吸気可能で、目詰まりによる風量低下を起こし難く、吸込力の持続が図れて、集塵室のメンテナンスも軽減する電気掃除機を実現できるものである。
【００１０】
第２の発明は、第１の発明の集塵室を構成する全ての壁面を通気性のある材料で構成したもので、全ての壁面から吸気することで、目詰まりによる風量低下をさらに起こし難く、さらに強い吸込力の持続が図れて、集塵室のメンテナンスも軽減する電気掃除機を実現できるものである。
【００１１】
第３の発明は、第１の発明の集塵室を構成する壁面を樹脂枠とメッシュにより構成したもので、集塵室の塵離れ性を向上させ、メンテナンスの軽減を図ることができる。
【００１２】
第４の発明は、第１の発明のフィルタ部を複層構造とし、吸気上流側にポリテトラフルオロエチレンからなる多孔質膜を配して構成したものであり、フィルタ表面で塵埃を捕集する事ができ、フィルタ部のメンテナンス性を向上させることができる。
【００１３】
第５の発明は、第１の発明のフィルタ部をプリーツ形状にしたもので、フィルタ面積を拡大しフィルタ部のメンテナンス軽減を図ることができる。
【００１４】
以下、本発明の実施の形態について、図面を参照しながら説明する。なお、この実施の形態によって本発明が限定されるものではない。
【００１５】
（実施の形態１）
本発明の第１の実施の形態における電気掃除機について、図１〜１３を用いて説明する。図１は、本実施の形態における電気掃除機の全体斜視図、図２は同電気掃除機の上面図、図３は、同電気掃除機の断面図である。
【００１６】
図１において１は掃除機本体で、後部に電動送風機２を内蔵した電装送風機室３が配され、前部に着脱自在で塵埃を分離捕集するダストボックスユニット４を収納するダストボックス収納部５が配され、後方下部の両側に１対の走行用の車輪６が回転自在に取着され、底面前部には同じく走行用のキャスター７が取着されている。掃除機本体１の前部には、ホース８の一端に設けた接続パイプ９が着脱自在に接続される吸入口１０が設けられている。
【００１７】
ホース８の他端には、掃除の際に握る把手を備えた先端パイプ１２が設けられている。１３は伸縮自在或いは継ぎ自在の延長管で、下流側端部が前記先端パイプ１２に着脱自在に接続され、他端は、塵埃掻き揚げ用の回転ブラシ１４と、その回転ブラシ１４を回転駆動するモータ１５を内蔵した吸い込み具１６に着脱自在に接続される。
【００１８】
１７は、掃除機本体１の側面に設けられた開口部で、ダストボックス収納部５に装着されたダストボックスユニット４の外郭側面が外から見えるようになっている。
【００１９】
１８は、弾性材料から形成され掃除機本体１の前部から両側にかけて延設されたバンパーで、掃除機本体１の走行時に家具、柱などに衝突してもそれらに傷をつけないようにするためのもので、また、掃除機本体１に設けた開口部１７と対向する部分が図に示されるように、くりぬかれている。
【００２０】
１９は、掃除機本体１を持ち運ぶ際に立てて使用する本体ハンドルで、掃除機本体１の重心を通る垂直線上に回動中心が位置するように掃除機本体１の上部に回動自在に取り付けられている。
【００２１】
２０は、ダストボックスユニット４の持ち運び用のダストボックスハンドルで、後端がダストボックスユニット４に回動自在に軸支され、その前端は、通常図１に示すようにダストボックスユニット４に収納されているが、ダストボックスユニットを持ち運ぶ時や、掃除機本体１のダストボックス収納部５から取り外す時に、前部を持ち上げると、前端が上方に飛び出し、ダストボックスハンドル２０が握れるようになる。
【００２２】
２１は、ダストボックスユニット４を掃除機本体１のダストボックス収納部５に収納した時にダストボックスユニット４の前端を保持する尾錠で、尾錠バネで後方側に付勢されている。
【００２３】
図３において、掃除機本体１の外郭は、その下部を形成すると共に後方にコードリール２２を収納するコードリール収納部２３を形成した下ボディ１ａと、後部に電動送風機室３を形成した上ボディ１ｂからなり、電動送風機室３の底部は下ボディ１ａで覆われる。２４は、下ボディ１ａに形成されたコードリール収納部２３を覆うコードリール蓋で、そのコードリール蓋２３及び下ボディ１ａの夫々に設けた軸支部２５でコードリール２２が回動自在に軸支され手いる。
【００２４】
コードリール２２は、電源コード３２を巻き付けると共に上下にフランジ部２２ａを有するドラム部２２ｂと、前記ドラム部２２ｂを電源コード３２を巻き付ける方向に付勢するバネ材２２ｃから構成されている。
【００２５】
２６は巻き戻し釦で、コードリール２２に内蔵されたバネ材２２ｃの付勢力に抗して外部に引き出された電源コード３２を、コードリール２２内に巻き戻す際に操作して巻き戻すもので、その巻き戻し釦２６を下方に押すことにより、ブレーキローラー（図示せず）によるコードリール２２の回動阻止が解除され、コードリール２２がバネ材２２ｃの付勢力で電源コード３２を巻き上げるようになっている。
【００２６】
電装送風機２の前部は、弾性材料からなるサポート前２７で、後部は、同じく弾性材料からなるサポート後２８で、電動送風機室３内に指示されている。２９は、電動送風機室３とダストボックス収納部５とを仕切る隔壁で、略中央に電動送風機２の吸入開口２ａと連通する格子状の隔壁開口部３０が設けられ、その隔壁開口部３０は、ダストボックス収納部５側から３次フィルタ３１で覆われている。
【００２７】
図４は、掃除機本体１からダストボックスユニット４を取り外した時の斜視図であり、吸入口１０の後方にパッキン３７が設けられ、隔壁２９の上部の幅方向に、後述の連結軸６８の後端を引っ掛けるための１対の凹部３８（図４では、一方のみ図示）が設けられ、ダストボックス収納部５の後方下部には、電源コード３２の引き出し操作に連動して回転して後述の除塵体５７を弾く弾きローラー３３が設けられている。３９は、弾きローラー３３の周囲を覆うカバーで、弾きローラー３３に髪の毛等が巻きついたときに、カバー３９を外せば、容易に取り除くことができる。
【００２８】
図５は、電源コード３２の引き出し操作から弾きローラー３３までの回転力の伝達構成を示すもので、コードリール１１の一方のフランジ２２ａの外周面に歯２２ｄが円環状に配され、弾きローラー３３を固定したシャフトＡ３４の端部にギヤーＡ３５が設けれ、歯２２ｄとギヤーＡ３５間に複数のギヤー群３６が介在され、電源コード３２の引き出し動作に応じてコードリール１１のフランジ２２ａが回転すると、その回転力が、歯２２ｄ、ギヤー群３６、ギヤーＡ３５、シャフトＡ３４の順に伝達され、弾きローラー３３が回転するようになっている。
【００２９】
弾きローラー３３は、弾き片３３ａと、それを挟み込むように形成されたフランジ３３ｂで形成されている。
【００３０】
次に、ダストボックスユニット４の構成について図６〜１２を用いて説明する。
【００３１】
図６において、ダストボックスユニット４は、ダストボックス本体４０と、ダストボックス本体４０に着脱自在に内蔵され吸引した塵埃を蓄積する集塵室４３と、ダストボックス本体４０の後方開口部に着脱自在に装着されるフィルタユニット４１から構成されている。
【００３２】
最初に、吸い込み具１６から空気と共に吸引された塵埃の捕集構成について述べる。ダストボックス本体４０の前部に、ダストボックスユニット４を掃除機本体１のダストボックス収納部５に装着した時に、掃除機本体１の吸入口１０の後方に設けたパッキン３７に気密に圧接し連通する吸入口Ａ４２と、尾錠２１が係合する尾錠凹部５２が設けられている。
【００３３】
ダストボックス本体４０は、さらに、吸入口Ａ４２に直接連通すると共に粗塵を収納する集塵室４３と、前記ダストボックス本体４０の下方開口部を覆うと共に後方端部がダストボックス本体４０に回動自在に軸支された蓋体４８を備えている。蓋体４８は、コイルバネ４９により開成方向に付勢されており、通常は、ダストボックス本体４０に設けた係止片５０で、その前部が閉じた状態に保持されており、ボックスハンドル２０の前部に設けた解除釦５１を押すと、それに連結された連結機構（図示せず）を介して係止片５０が外方に移動し、蓋体４８がコイルバネ４９の付勢力で開くようになっている。
【００３４】
図６（ｃ）に示すように、集塵室４３はダストボックス本体４０の内面との間に隙間を持って内蔵されており、この隙間が吸気経路４４を形成している。
【００３５】
前記集塵室４３は樹脂製の枠体４５とその内側表面に配された１次フィルタ４６により箱状に構成されており、蓋体側の壁面を着脱自在に構成し蓄積した塵埃を排出するものである。集塵室４３は排出口４７に向かって拡大するように形成され、排出口４７と対抗する壁面側には蓄積した塵埃を押し出す押出し板が設けられている。前記１次フィルタ４６はメッシュ状フィルタで構成され、その開口径は１１０μｍとしている。
【００３６】
前記集塵室４３を形成する壁面の吸入口Ａと対向する部分は樹脂枠により不通気となっている。
【００３７】
また、ダストボックス本体４０の外郭部分は、半透明材料で形成され、外部から堆積した塵埃の量がわかるようになっている。
【００３８】
ダストボックス本体４０の後側には、ダストボックスユニット４や、その構成部品に付着した塵埃を清掃する為のクリーニングブラシ５３を収納するブラシ収納部４０ａが設けられている。
【００３９】
フィルタユニット４１は、枠体５４と、プリーツ折りされそのプリーツ目を縦方向にして枠体５４に設けられた二次フィルタ５５と、枠体５４の内側に橋渡し状に形成され、二次フィルタ５５をその折り目方向に直交する方向で保持するリブ体５６と、鋼鈑など弾性に富んだ金属材からなり、下部がそれ自身の弾性力で枠体５４側に押しつけられるように上部が枠体５４の上部に取り付けられた除塵板５７とを備えている。フィルタユニット４１の枠体５４の下流側端部には全周に渡ってリップ５８が、一体又は一体的に形成され、ダストボックスユニット４を、ダストボックス収納部５に装着した時に、そのリップ５８が、掃除機本体１の隔壁２９のダストボックス収納部５側の面に圧接され、電動送風機２の運転時に外気が吸引されないようになっている。
【００４０】
前記２次フィルタ５５はポリテトラフルオロエチレンからなる多孔質膜を吸気上流側に配した複層フィルタである。
【００４１】
除塵体５７の下端には、突片５７ａが延設され、図１１、図１２の要部断面図に示すように、ダストボックスユニット４をダストボックス収納部５に装着した時に、掃除機本体１に設けた弾きローラー３３に近接するように配されており、この状態で電源コード３２を引き出すと、その引き出し動作に連動して弾きローラー３３が回転し、山状に形成された弾き片３３ａが、除塵板５７の弾性力に抗して除塵板５７の突片５７ａを後方に移動させ、その突片５７ａが弾き片３３ａを乗り越えると（図１２参照）、除塵板５７の弾性力で元の左方向に一気に戻ろうとする。この時、除塵板５７の一部がリブ体５６の先端に当たってリブ体５６に強い衝撃が加わり、これにより二次フィルタ５５に強い振動が加わり、二次フィルタ５５に付着していた細塵が振り落とされ、二次フィルタ５５の濾過性能が復活する。
【００４２】
上記構成による動作、作用は以下の通りである。
【００４３】
電気掃除機の使用開始に当たり、掃除機本体１より電源コード３２を引き出すと、その引き出し動作に連動して、コードリール２２のフランジ２２ａが回転し、その回転力が、ギヤー群３６、ギヤーＡ３５と伝達され、弾きローラー３３が回転する。弾きローラー３３が回転すると、その弾き片３３ａが除塵板５７に設けた突片５７ａを弾き、フィルタユニット４１のリブ体５６に強い衝撃が加わり、前回までの掃除の際に二次フィルタ５５に付着した細塵がふるい落とされ、二次フィルタ５５の濾過能力が回復する。
【００４４】
次に、電源コード３２を図示しない壁のコンセントにさし込んで、電気掃除機の運転を開始すると、電動送風機２による吸引力が、一次フィルタ４６を経て、集塵室４３に及び、ホース８、延長管１３を経て吸い込み具１６に至る。そして、吸い込み具１６から吸引された塵埃を含んだ空気が、掃除機本体１の吸入口１０を通って、ダストボックス本体４０の吸入口４２から真っ直ぐ集塵室４３に入り、一次フィルタ４６に当たりそこで捕集され、堆積していく。
【００４５】
上記構成によれば、粗塵が集塵室４３で予め捕集されるので、２次フィルタ５５へは微細な塵埃のみが流入する。
【００４６】
また、弾きローラー３３を回転させて除塵板５７の突片５７ａを弾き、その反発力で前記枠体５４に衝撃を与えるようにしたので、除塵板５７によって枠体５４に加わる衝撃で二次フィルタ５５の上流側の面に付着した塵埃がふるい落とされ二次フィルタ５５の濾過能力が復活すると共に、二次フィルタ５５に除塵板５７が直接衝撃を与えないので二次フィルタ５５が破損する事が無い。
【００４７】
また、電源コード３２の引き出し動作に連動して弾きローラー３３を回転させるようにしたので、弾きローラー３３を回転させるための特別な駆動源を必要とせず、除塵機構を安価に形成する事ができる。なお、電源コード３２の収納動作に連動して、あるいは、電源コード３２の引き出し動作及び収納動作の両動作に連動して弾きローラー３３を回転させるようにすれば、弾きローラー３３の回転する機会が増え、除塵効果が向上する。
【００４８】
また、弾きローラー３３を、図示しないが、別途設けたモータで回転駆動するようにすれば、除塵構成が簡素化され、しかも除塵効果を安定させることができる。
【００４９】
さらに、除塵板５７の上端を枠体５４の上端に固定しているので、掃除機本体１側の構成が簡素化され、除塵効果が安定する。
【００５０】
また、二次フィルタ５５をプリーツ折りし、かつそのプリーツ目を縦方向にしたので、叩き出した塵埃を効率良く下方に落とすことができると共に、塵埃の二次フィルタ５５への再付着を防止することができる。
【００５１】
また、二次フィルタ５５の上流側の面を僅かに下を向くように傾斜させるようにすれば、叩き出した塵埃が効率良く下方に落とされ、二次フィルタ５５に、叩き出された塵埃が再付着する事が無い。
【００５２】
また、枠体５４を樹脂で成型し、前記枠体５４に二次フィルタ５５のプリーツ部を連結するリブ体５６を一体に設け、このリブ体５６を除塵板５７で弾くようにしたので、リブ体５６を介して衝撃を二次フィルタ５５全域に渡って伝える事ができ、塵埃の叩き出し効果が向上する。
【００５３】
また、図８に示すように、除塵板５７を途中から左右に２分割し、夫々の突片５７ａを弾きローラー３３でタイミングをずらして弾くようにすれば、電源コード３２を引き出す時の引き出し力あるいは、弾きローラー３３を回転駆動するモータのトルクを半減できる。
【００５４】
なお、除塵板５７の途中からの分割は、２分割に限らず３分割、４分割でも構わない。
【００５５】
また、除塵板５７により枠体５４を介して二次フィルタ５５に加えられる衝撃力を１５０ｇ以上にすれば、風量を初期の８０％程度まで回復できるものである。
【００５６】
また、弾きローラー３３を、除塵板５７の突片５７ａを弾く弾き片３３ａと、前記弾き片３３ａを挟むように両側に設けたフランジ３３ｂで形成し、突片５７ａが両フランジ３３ｂ間に入り込むようにしたので、弾きローラー３３に髪の毛等がひっかかりにくくなる。
【００５７】
支持部材６７を後退させ、それがリブ２０ｂを乗り越えると、係止部６７ｂが被係止部２０ａに係止され、ボックスハンドル２０が立ちあがった状態に維持され、ダストボックス収納部５から取り外したダストボックスユニット４を自由に持ち運ぶ事ができる。なお、係止部６７ｂと被係止部２０ａとの係り代や形状を調整して、ボックスハンドル２０に強い力が加わった時に両者間の係止が解除されるようにしておけば、ボックスハンドル２０に外力が加わった時に、両者間の係止が解除され、ボックスハンドル２０が破損するのを防止することができる。
【００５８】
（実施の形態２）
図１３は、本発明の第２の実施の形態における電気掃除機のダストボックスの要部断面図である。
【００５９】
本実施の形態は、図１３に示すように、集塵室４３はダストボックス本体４０の内面との間に隙間を持って内蔵されており、この隙間を確実に保持するためのスペーサー５９を集塵室の枠体４５で構成し、吸気経路４４を形成している。
【００６０】
前記集塵室４３の排出口４７側の１面は、ダストボックスの蓋体４８で構成されており、蓋体４８には蓄積した塵埃をかき出すためのかき出し手段６０が着脱自在に配されている。前記集塵室４３はかき出し手段６０が蓋体４８の開放動作により描く回動軌跡に沿った形状に形成されている。
【００６１】
また、前記集塵室４３の内面の角（隅）は半径１０ｍｍ以上の球面形状としている。
【００６２】
上記構成によれば、スペーサー５９により吸気経路４４が確保される、吸引力により集塵室４３が変形し吸気経路４４をふさいでしまうことを防止できる。また、排出口４７側の１面を蓋体４８で構成しさらにかき出し手段６０を設けることで、ダストボックスの蓋を開く動作と連動して塵埃を容易に排出することができ、集塵室４３の形状をかき出し手段６０の回動軌跡に沿わせることで、塵埃排出時の集塵室４３へのゴミ残りを最小限に抑制することができる。
【００６３】
集塵室４３の内面の角（隅）を半径１０ｍｍ以上の球面形状にする事により、良好なメンテナンス性を提供できるものである。
【産業上の利用可能性】
【００６４】
以上のように、本発明にかかる電気掃除機は、各種家庭用、業務用電気掃除機に広く適用できる。
【図面の簡単な説明】
【００６５】
【図１】本発明の実施の形態１における電気掃除機の全体斜視図
【図２】同電気掃除機の上面図
【図３】同電気掃除機の断面図
【図４】同電気掃除機の掃除機本体の斜視図
【図５】同電気掃除機内部の動力伝達構成を示す図
【図６】（ａ）同電気掃除機のダストボックスユニットの側面図（ｂ）同ダストボックスユニットの平面図（ｃ）図６（ｂ）のＡ−Ａ断面図（ｄ）図６（ｂ）のＢ−Ｂ断面図
【図７】同ダストボックスユニットの正面図
【図８】同ダストボックスユニットの背面図
【図９】同ダストボックスユニットのダストボックス本体の斜視図
【図１０】同ダストボックスユニットのフィルタユニットの斜視図
【図１１】同ダストボックスユニットの要部断面図
【図１２】同ダストボックスユニットの要部断面図
【図１３】（ａ）同ダストボックスユニットの平面図（ｂ）図１３（ａ）のＢ−Ｂ断面図
【符号の説明】
【００６６】
１    掃除機本体
４    ダストボックスユニット
５    ダストボックス収納部
４３  集塵室
【図１】
2006255159.tif 000003
【図２】
2006255159.tif 000004
【図３】
2006255159.tif 000005
【図４】
2006255159.tif 000006
【図５】
2006255159.tif 000007
【図６】
2006255159.tif 000008
【図７】
2006255159.tif 000009
【図８】
2006255159.tif 000010
【図９】
2006255159.tif 000011
【図１０】
2006255159.tif 000012
【図１１】
2006255159.tif 000013
【図１２】
2006255159.tif 000014
【図１３】
2006255159.tif 000015